(57)【特許請求の範囲】
【請求項１】
地球上で光合成を強化する方法であつて、
−  少なくとも１つの太陽光再伝送衛星(２)が地球(Ｔ)を取囲む軌道上に位置し、その太陽光再伝送衛星(２)が以下に述べる衛星搭載要素、即ち
・  太陽光を集光させるものであって、その位置が前記再伝送衛星(２)の構造体(５)に対して固定的である第１光学アセンブリ(３)、
・  前記第１光学アセンブリ(３)で集めた光を、集められた束密度より高密度の再伝送束で再伝送するためのものであって、その方向性は光がそれにしたがって再伝送される軸(７)の方向を修正するように前記再伝送衛星(２)の前記構造体(５)に対して修正することが可能である、前記第１アセンブリ(３)よりもサイズおよび慣性が小さい第２光学アセンブリ(６)、
・  前記第２の光学アセンブリ(６)の方向性を調整することができ、遠隔制御可能な手段(８)、
・  前記第１の光学アセンブリ(３)により集められた任意の光を、前記第１光学アセンブリ(３)から、その方向性がどのようなものであれ前記第２光学アセンブリ(６)へ伝送するように形成される光伝送手段(１０)、および
・  前記集められた光を、前記第２の光学アセンブリ(６)が各々約４５０ｎｍおよび６６０ｎｍの画定された周波数帯域内のみの光を再伝送するように濾波するためのフィルタリング手段を少なくとも１組具備し、
−  前記再伝送衛星(２)は、少なくとも前記再伝送衛星(２)が天体(Ｔ)の所定の領域(ＲＥ)の上を移動しているときは前記再伝送衛星(２)の前記第１光学アセンブリ(３)が常に太陽(Ｓ)の方へ向き、よってこのような移動時に太陽光を集めることができるように配向され、かつ、
−  前記再伝送衛星(２)の前記第２光学アセンブリ(６)の方向性は、集められた太陽光を地球(Ｔ)の所定の地域(Ｚ)上へ、前記再伝送衛星(２)が前記領域(ＲＥ)の上を移動する時点で地球(Ｔ)のこの地域(Ｚ)上の光合成を強化するために再伝送するように遠隔的に調整されている
地球上で光合成を強化する方法。
【請求項２】
地球(Ｔ)上の光合成を強化するための宇宙内システムであって、このシステム(１)は、
−  少なくとも１つの太陽光再伝送衛星(２)であって、以下の衛星搭載要素、即ち、
・  太陽光を収集するためのものであって、その位置は前記再伝送衛星(２)の構造体(５)に対して固定的である第１の光学アセンブリ(３)、
・  前記第１の光学アセンブリ(３)により集められた光を、集められた束密度より高い密度の再伝送束で再伝送するためのものであって、その方向性は光がそれに従って再伝送される軸(７)の方向を修正するように前記再伝送衛星(２)の前記構造体(５)に対して修正することが可能である、前記第１光学アセンブリ(３)よりサイズおよび慣性が小さい第２光学アセンブリ(６)、
・  前記第２光学アセンブリ(６)の方向性を調整することができる、遠隔制御可能な手段(８)、
・  前記第１光学アセンブリ(３)により集められた任意の光を、前記第１光学アセンブリ(３)から、その方向性がどのようなものであれ前記第２の光学アセンブリ(６)へ伝送するように形成される光伝送手段(１０)、および、
・  前記集められた光を、前記第２の光学アセンブリ(６)が各々約４５０ｎｍおよび６６０ｎｍの画定された周波数帯域内のみの光を再伝送するように濾波するためのフィルタリング手段を少なくとも１組を具備し、
前記再伝送衛星(２)は地球(Ｔ)の周回軌道内に置かれ、同時に前記第１光学アセンブリ(３)が、少なくとも地球(Ｔ)の所定の領域(ＲＥ)の上を移動している時点で常に太陽(Ｓ)の方へ向き、よってこのような移動時に太陽光を収集できるように配向される、少なくとも１つの再伝送衛星(２)と、
−  前記再伝送衛星(２)の前記第２光学アセンブリ(６)の方向性を遠隔的に調整することができ、かつ前記再伝送衛星(２)がこのような領域の上を移動する時点で、地球(Ｔ)のこの地域(Ｚ)上の光合成を強化する目的のため、前記再伝送衛星(２)が、集められた太陽光を地球(Ｔ)の所定の地域(Ｚ)上へこのような方向性を再伝送するように調整すべく形成される制御手段(１２)を備える、前記再伝送衛星(２)のコントロールセンタ(１１)とを備える地球上の光合成を強化するための宇宙内システム。
【請求項３】
再伝送衛星(２)の前記フィルタリング手段は、表面処理と、前記第２光学アセンブリ(６)および前記光伝送手段(１０)のうちの少なくとも一方に適切な要素を用いることによって実現されることを特徴とする、請求項２に記載のシステム。
【請求項４】
前記再伝送衛星(２)の前記光伝送手段(１０)は、以下の手段、即ち、
−  ペリスコープ、
−  光導波路セット、および、
−  少なくとも１つの光ファイバ、
のうちの１つを備えることを特徴とする、請求項２または請求項３に記載のシステム。
【請求項５】
前記コントロールセンタ(１１)の前記制御手段(１２)は、
−  前記再伝送衛星(２)の前記第２光学アセンブリ(６)の方向性を調整する前記手段(８)向けの制御命令を決定するための演算ユニット(１５)と、
−  前記制御命令を前記調整手段(８)へ、前記再伝送衛星(２)に搭載されている協働データ受信手段(１４)を介して伝送するように形成されているデータ発信手段(１３)とを備えることを特徴とする、請求項２から請求項４のいずれか１項に記載のシステム。
【請求項６】
前記コントロールセンタ(１１)へ、地球(Ｔ)の少なくとも１つの特定の地域(Ｚ)上で光合成を強化することに関する顧客からの要請を送信するサービスセンタをさらに備えることを特徴とする、請求項２から請求項５のいずれか１項に記載のシステム。
【発明の詳細な説明】
【技術分野】
【０００１】
本発明は、太陽光を再伝送する衛星、ならびにこのような種類の１つ以上の衛星を使用する用途に関する。
【０００２】
限定的ではないが、より具体的には、本発明の目的は、広大な面積を有する地球の地理的表面積、例えば数十平方キロメートルという広大な表面積の地域を、具体的には夜間に太陽光で照射することにある。
【背景技術】
【０００３】
衛星上へ取り付けられる単なる太陽光反射器は、非常に大きい面積を有する反射器を用いない限り、そして非常に大きい質量および慣性ならびにこれらに起因して生じる全て(実装、コスト、位置合わせなど)の問題点を想定しない限り、地上のこのような広大な地域を照射できないことは知られている。１つの例示として、約１００平方キロメートルの地上の地域表面が照射されるとすると、反射器は、数メガワットの合計出力を利用可能であるとしても、確実に、約数千平方メートルの表面積を有して設けられなければならない。現時点で、このような表面積を有する反射器(ミラー)は実現が困難でありかつ軌道へ載せることが困難であるだけでなく、対象地域を指示し直すこと、即ち指示修正(リポイント)を可能にするには強力な推進システムを必要とし、かなりの時間を要すると思われるような慣性を持たせることにもなる。従って、対象地域の指示修正(リポイント)を定期的に実行することは困難であると思われ、よって、照射されるべき地域の頻繁な修正はほとんど考えられない。
【０００４】
さらに、米国特許第５,０１９,７６８号は、地球周回軌道に置かれているマイクロ波反射器を用いて月から地球へマイクロ波を伝送し、かつ月から受ける放射線を地球へ送り返すためのシステムを開示している。このような反射衛星は、地球の広大な地域を照射することができない。
【先行技術文献】
【特許文献】
【０００５】
【特許文献１】米国特許第５，０１９，７６８号明細書
【発明の概要】
【発明が解決しようとする課題】
【０００６】
本発明の目的は、上述の欠点を改善することにある。本発明は、太陽光を天体へ再伝送できるようにする、具体的には、地球を含むこのような天体の広大な地域を照射することを目的として再伝送できるようにし、このような地域を容易に修正することが可能である太陽光再伝送衛星に関する。
【０００７】
この目的のために、本発明によれば、上記太陽光再伝送衛星は、以下の衛星搭載部材、即ち、
−  太陽光を収集するためのものであって、その位置は衛星の構造体に対して固定的である第１の光学アセンブリ、
−  上記第１の光学アセンブリにより集められた光を、集められた束密度より高い密度の再伝送束で再伝送するためのものであって、その方向性は光がそれに従って再伝送される軸の方向を修正するように再伝送衛星の構造体に対して修正することが可能である、上記第１の光学アセンブリよりサイズおよび慣性が小さい第２の光学アセンブリ、
−  上記第２の光学アセンブリの方向性を調整することができる、遠隔制御可能な手段、および、
−  上記第１の光学アセンブリにより集められた任意の光を、上記第１の光学アセンブリから、その方向性がどのようなものであれ上記第２の光学アセンブリへ伝送するように形成される光伝送手段
を少なくとも１組を備えることを特徴としている。
【０００８】
従って、(上記第１の光学アセンブリにより実装される)光収集機能と(上記第２の光学アセンブリにより実装される)光再伝送機能との分離によって、かつ光が集光されること(後述する)によって、このような２つの光学アセンブリと、目的が達成されるための最適な特徴に従うこと、即ち、広大な表面の地域へ光を再伝送し、かつ後述するようにこのような地域を容易に修正できるということを別に達成することが可能である。
【０００９】
実際に、
−  本発明によって、第１の光学アセンブリは単に太陽光を収集するためだけのものであることから、これは単純に太陽へと配向されるべきものであって配向し直されることはなく、めったに行われない衛星の位置および方向性の僅かな補正で足りる。従って、この第１の光学アセンブリは、大量の太陽光を集めることができるように非常に大きい慣性およびサイズで実現することが可能であり、かつ、
−  本発明によって、第２の光学アセンブリの唯一の機能が収集され(かつ集光され)た太陽光の再伝送を含むことから、これは、上記第１の光学アセンブリの場合より遙かに小さいサイズおよび慣性で実現することが可能である。これは、その方向性を衛星本体に対してより容易に修正すること、および再伝送される太陽光の方向性を容易かつ低コストで調整できる手段を設けることを可能にする。従って、照射されるべき地域を容易かつ迅速に変更することが可能である。
【００１０】
本発明による再伝送衛星が、２つの光学アセンブリを有する単なる中継衛星に一致するものでないことは留意されるべきである。実際に、(同様にして受けた光を再送するだけの)単なる中継衛星は同じサイズの光学アセンブリを必要とするのに対して、本発明では、集められた太陽光は再伝送される前に濃縮され、先に述べた有利な特徴の提供を可能にする。
【００１１】
ある特定の実施形態において、上記再伝送衛星は、第２の光学アセンブリが少なくとも１つの予め決められた周波数帯域内のみの光を再伝送するように、集められた光を濾波するためのフィルタリング手段を備える。上記フィルタリング手段は表面処理から、かつ再伝送衛星の以下の要素、即ち第２の光学アセンブリおよび光伝送手段のうちの少なくとも一方の適切な材料を使用することから実現されることが好ましい。
【００１２】
さらに、ある特定の実施形態において、上記光伝送手段は以下の手段、即ち、
−  ペリスコープ、
−  光導波路セット、および、
−  少なくとも１つの光ファイバ、
のうちの１つを備える。
【００１３】
また本発明は、天体、具体的には地球の特定の地域を照射するための方法にも関する。
【００１４】
この目的のために、このような方法は、以下の点において特徴づけられる。
−  先に述べた少なくとも１つの太陽光再伝送衛星が上記天体の周回軌道内に置かれ、
−  このような再伝送衛星は、上記再伝送衛星の上記第１の光学アセンブリが、少なくとも再伝送衛星が上記天体の所定の領域の上を移動しているときは常に太陽の方へ向き、よってこのような移動時に太陽光を収集できるように配向され、かつ、
−  再伝送衛星の上記第２の光学アセンブリの方向性は、再伝送衛星が上記領域の上を移動中にその再伝送衛星が集められた太陽光を上記天体の照射されるべき領域上へ再伝送するように遠隔的に調整される。
【００１５】
本発明はさらに、地上の光合成を強化するための宇宙内システムに関する。
【００１６】
本発明によれば、上記宇宙内システムは、
−  地球周回軌道内に置かれ、上記再伝送衛星の上記第１の光学アセンブリが、少なくとも再伝送衛星が地球の所定の領域の上を移動しているときは常に太陽の方へ向き、よってこのような移動時に太陽光を収集できるように配向される、先に述べたもの等の少なくとも１つの太陽光再伝送衛星と、
−  好適には地上に設けられる、上記再伝送衛星のコントロールセンタとを備える。このようなコントロールセンタは、より具体的には、再伝送衛星の上記第２の光学アセンブリの方向性を遠隔的に調整することができ、このような方向性を、再伝送衛星が集められた太陽光を地球の所定の地域上へ、再伝送衛星がこのような領域の上を移動中に、この地域の光合成を強化する目的で再伝送するように調整すべく形成される制御手段を備える。
【００１７】
現時点では、地上および海中での光合成の活動は、主として昼／夜の一日サイクルおよび冬／夏の一年サイクルで決定づけられることが知られている。地球上の領域によっては、植物の成長期間を延ばすために温室が使用される。このような温室は、最も頻繁には、化石燃料を消費するという通常の手段によって加熱されかつ照明される。温室の中には、原子力発電所の冷却塔から来るエネルギーによって加熱され、かつこのような発電所からの電気で照明されるものがある。全ての場合において、このような温室は、発電所で生成されるエネルギーを消費し、かつ実際には、これらの温室を建てかつ温室にエネルギーを供給するために必要な手段を入手可能な住民のためだけに存在する。
【００１８】
これまでに述べた本発明によるシステムによって、地球の任意の地域での光合成を、この目的のために無料で自由に入手可能なエネルギー、即ち太陽エネルギーを用いて強化することが可能である。
【００１９】
ある好適な実施形態において、再伝送衛星のための上記フィルタリング手段は、光合成に使用される光周波数に一致する各々約４５０ｎｍおよび６６０ｎｍの画定された周波数帯域内の光を再伝送するために、集められた光を濾波するように形成される。従って、太陽スペクトルの植物および海藻の光合成にとって有益な部分のみが地球へ再伝送される。これは、植物および海藻の成長促進を可能にし、しかもこれに伴って地上で受ける紫外線および赤外線の線量を増大させることがない。
【００２０】
さらに、有利な点として、コントロールセンタの上記制御手段は、
−  再伝送衛星の上記第２の光学アセンブリの方向性を調整する手段向けの制御命令を決定するための演算ユニットと、
−  上記制御命令を上記調整手段へ、再伝送衛星に搭載されている協働データ受信手段を介して伝送するように形成されているデータ発信手段とを備えている。
【００２１】
さらに、有利な点として、上記システムは、上記コントロールセンタへ、地球の少なくとも１つの特定の地域で光合成を強化することに関する顧客による要請を送信するサービスセンタも備えている。このような顧客は、例えば、その耕作地での夜間を含む光合成を強化しながらその収穫量を増やすことを計画する営農会社または協同組合である可能性がある。
【００２２】
添付図面の図により、本発明がどのように実施されるかが明確に理解される。これらの図中、同一符号は、同一要素を示す。
【図面の簡単な説明】
【００２３】
【図１】地球の地域を含む天体の地域を、具体的にはその地域を照射して光合成を強化する本発明に係るシステムの概略図である。
【図２】本発明による太陽光再伝送衛星とそのシステムの一部を示す概略図である。
【発明を実施するための形態】
【００２４】
本発明による、かつ図１に略示されているシステム１は、地球を含む天体Ｔの地域Ｚを太陽光で照射するように意図されている宇宙内システムである。
【００２５】
この目的のために、上記システム１は、このような天体Ｔの周回軌道に置かれる少なくとも１つの太陽光再伝送衛星２を備える。
【００２６】
本発明によれば、このような衛星２は、具体的には図２に示されているように、
−  太陽光を直に太陽放射線Ｒ１の形態で集めることができるように、衛星２が天体Ｔの所定の領域ＲＥの上を移動しているときは常に太陽Ｓに向けられている(集光)軸４に従って配向されている光学アセンブリ３で、大きいサイズおよび慣性を有する上記光学アセンブリ３の位置は、衛星２の構造体(または本体)５に対して固定的であるものと、
−  上記光学アセンブリ３の場合より遙かに小さいサイズおよび慣性を有する光学アセンブリ６で、このような光学アセンブリ６は、上記光学アセンブリ３によって集められた光を(例えば、ある国の一部に対応する)領域ＲＥの上を移動する時点で放射線Ｒ２の形式で再伝送するために、天体Ｔへと方向づけられている軸７に従って配向されるもので、このような光は、後述するように衛星２上で発生する光の濃縮の結果として、集められた放射線の束密度Ｒ１より遙かに高い束密度で再伝送され、さらに、光学アセンブリ６の方向性は、光がそれに従って再伝送される軸７の(指し示す)方向を修正するように、衛星２の構造体５に対して修正することが可能であるものと、
−  後述するように遠隔制御が可能であり、かつリンク９の混合線で示すように上記光学アセンブリ６(の軸７)の方向性を調整(即ち、修正)することができる手段８と、
−  光学アセンブリ３により集められた任意の光を、それが光学アセンブリ６によって再伝送されることを前提にして放射線Ｒｉにより示されるように、光学アセンブリ３から、その方向性がどのようなものであれ光学アセンブリ６へ伝送すべく形成される光伝送手段１０と
を備える。
【００２７】
上記再伝送衛星２に加えて、上記システム１は、このような再伝送衛星２のための好適には地球Ｔ上に設けられているコントロールセンタ１１をさらに備える。このようなコントロールセンタ１１は、より具体的には、再伝送衛星２の上記光学アセンブリ６の方向性を遠隔的に調整できる、かつこのような方向性を、再伝送衛星２が(再伝送軸７に従って)地球Ｔの所定の地域Ｚ上へ太陽光を、再伝送衛星２が領域ＲＥの上を移動中に、具体的には(例えば、上記領域ＲＥ内に位置決めされる耕作地域である)この地域Ｚ上の光合成を強化する目的で再伝送するように調整すべく形成されている制御手段１２を備える。
【００２８】
従って、一方では、(上記光学アセンブリ３により実装される)集光機能が(上記光学アセンブリ６により実装される)光再伝送機能から分離されていることによって、かつ他方では、光が濃縮されることによって、２つの光学アセンブリ３，６が、目的が達成されるための最適な特徴に従って、即ち、さらなる修正が容易に実行され得る少なくとも１つの大きい表面積の地域Ｚ上へ太陽光を再伝送することを別に達成することが可能である。
【００２９】
実際に、
−  光学アセンブリ３は、太陽光を集めるためだけのものであることから(領域ＲＥ上の移動時には)単純に太陽Ｓへ向けられるべきであって再配向はされるべきでなく、よってめったに行われない衛星２の位置および方向性の何らかの僅かな補正を要するのみであると思われる。従って、これは、大量の太陽光を集めることができるように、著しく大きい慣性およびサイズで実現することが可能である。また、
−  集められ(かつ濃縮され)た太陽光を再伝送するだけの機能を有する上記光学アセンブリ６は、上記光学アセンブリ３の場合より遙かに小さいサイズおよび慣性に従って実現されることが可能である。これによって、その方向性を衛星２の本体５の場合よりも容易に修正し、かつ上記光学アセンブリ６の方向性を容易かつ低減されたコストで調整できる手段８を設けることが可能になる。従って、軸７の方向性を容易かつ迅速に変えることが可能であり、よって、天体Ｔの地域Ｚ上の位置(ロケーション)は衛星２がその領域ＲＥの上を移動中に照射される。
【００３０】
本発明による再伝送衛星２が、２つの光学アセンブリを有する単なる中継衛星に一致するものでないことは留意されるべきである。実際に、(同様にして受けた光を再送するだけの)単なる中継衛星は同じサイズの光学アセンブリを必要とするのに対して、本発明では、集められた太陽光は再伝送される前に集光され、先に述べた有利な特徴の提供を可能にする。
【００３１】
さらに、ある特定の実施形態において、再伝送衛星２は複数の光学アセンブリ３および／または複数の光学アセンブリ６を備える。
【００３２】
コントロールセンタ１１の上記制御手段１２は、
−  上記手段８が再伝送衛星２の上記光学アセンブリ６の方向性を調整するための制御命令を決定するための演算ユニット１５と、
−  このような制御命令を(再伝送衛星２に搭載されている)協働データ受信手段１４へ例えばＴＭ‐ＴＣ型である電磁波リンクＬを介して伝送するように形成されているデータ発信手段１３とを備える。次に手段１４は、このような制御命令を上記調整手段８へ伝送する。
【００３３】
上記コントロールセンタ１１はさらに、より具体的には衛星２の手段１７と協働する通常の衛星制御手段１６を備える。このような手段１７は、具体的には任意の衛星の通常の要素および機能性のセットを備えることが可能であって、これらは具体的には、
−  高度を操って衛星２の軌道ＯＲを補正し、
−  必要な電力を供給し、かつ、
−  衛星搭載機器に妥当な熱環境を確保するためのものである。
【００３４】
ある好適な実施形態において、
−  上記光学アセンブリ３は、軸４に従って太陽Ｓへと配向される、かつ集められた光を上記光伝送手段１０に関連づけられている第２のミラー２０上に集束する(即ち、収斂させる)第１の超大型表面ミラー１９を備え、かつ、
−  上記光学アセンブリ６は、集められた光を再伝送するための手段２１，２２による少なくとも１つの類似セットを備え、即ち、(ミラー１９より小さい表面を有する)第１のミラー２１は軸７に従って天体Ｔへと配向され、かつ上記光伝送手段１０に関連づけられている第２のミラー２２からの光を受けかつこれを拡散させる。
【００３５】
アセンブリ６により実装される拡散はアセンブリ３により実装される収束ほど重大ではないことから、太陽光は、収集される放射線Ｒ１よりも再伝送される放射線Ｒ２においてより集光され、つまりは遙かに高い束密度を有する。
【００３６】
光学アセンブリ３からの光の伝送は、上記手段１０の一部である通常の要素によって発生する。このような手段１０は、以下の手段、即ち、
−  ペリスコープ、
−  光導波路セット、および、
−  少なくとも１つの光ファイバ、
のうちの１つを備えることが好ましい。
【００３７】
上記ミラー２１，２２は、幾つかのパーツにおいて、予測される高い束密度から結果的に生じる高温に耐える炭化珪素等の材料で製造することが可能である。
【００３８】
ある特定の実施形態において、上記再伝送衛星２は、集められた光を、光学アセンブリ６が少なくとも１つの予め決められた周波数帯域内の光のみを再伝送するように濾波するためのフィルタリング手段を備える。好適には、上記フィルタリング手段は、使用されているミラー、より具体的には光学アセンブリ６のミラー上で行われる表面処理によって、および光伝送手段１０用の適切な材料を用いることによって達成される。
【００３９】
このように、本発明によるシステム１は、任意の天体Ｔ、具体的には、地球や月の特定の地域Ｚの照射にも特に好適である。ある特定の実施形態において、上記システム１は、天体Ｔの周りを同じ軌道ＯＲ上で、または異なる軌道上の何れかで回転する上述の衛星等の複数の再伝送衛星２を備える。
【００４０】
ある好適な、但しこれに限定するものではない実施形態において、上記システム１は、地球Ｔの地域Ｚをそのエリア内の光合成を強化するために照射するように意図されたものである。
【００４１】
このような好適な実施形態では、制御手段１２は、再伝送衛星２の上記光学アセンブリ６の方向性を、上記再伝送衛星２が集められた太陽光を地球Ｔの所定の地域Ｚ上へ、ある特定の領域ＲＥの上を移動中に、この地域Ｚの光合成を強化する目的で再伝送するように遠隔的に調整するためのものである。
【００４２】
従って、この好適な実施形態によるシステム１は、地球Ｔの任意の地域Ｚ上に相補的な照射を生成し、かつ上記任意の地域Ｚ上の光合成を、そのための無料かつ自由に入手可能なエネルギー、即ち太陽エネルギーを用いて強化することができる。
【００４３】
このような好適な実施形態において、再伝送衛星２の上記フィルタリング手段は、光合成により使用される光周波数に一致する各々約４５０ｎｍおよび６６０ｎｍの画定された周波数帯域内の光を再伝送するように形成される。従って、太陽スペクトルの植物および／または海藻の光合成にとって有益な部分のみが地球へ再伝送される。これは、植物および／または海藻の成長促進を可能にし、しかもこれに伴って地上で受ける紫外線および赤外線の線量を増大させることがない。
【００４４】
さらに、上記システム１は、上記コントロールセンタ１１へ、地球Ｔの特定の地域上で光合成を強化することに関する顧客からの要請を送信するサービスセンタ(不図示)も備える。このような顧客は、例えば、その耕作地での(夜間を含む)光合成を強化しながらその収穫量を増やすことを計画する営農会社または協同組合であることが可能性がある。従って、この好適な実施形態では、システム１は、営農または水産養殖活動の追加的開発の産出を可能にする。
【００４５】
上記サービスセンタは、衛星２の動作スケジュールを決定し、かつサービスおよび対応する課金の追跡管理を保証する。このようなサービスセンタは、コントロールセンタ１１に位置決めされることが可能である。
【符号の説明】
【００４６】
１…システム、２…太陽光再伝送衛星、３…第１光学アセンブリ、５…再伝送衛星の構造体、６…第２光学アセンブリ、７…光が再伝送される軸、８…遠隔制御可能な手段(調整手段)、１０…光伝送手段、１１…再伝送衛星のコントロールセンタ、１２…光合成強化調整制御手段、１３…データ発信手段、１４…協働データ受信手段、１５…演算ユニット、Ｔ…地球(天体)、ＲＥ…所定の領域、Ｓ…太陽、Ｚ…地球の地域。
【図１】
0005411944.tif 000002
【図２】
0005411944.tif 000003